(57)【要約】      （修正有）【課題】一枚の段ボール紙から接着剤を用いずに内部に収納スペースが形成される段ボール箱を提供する。【解決手段】４つの側壁を有する四角筒状部と、上記各側壁２，３，５の各上縁から延出する４つの上側フラップ６，７，９と、各下縁から延出する４つの下側フラップとを備える段ボール箱であって、上記側壁中の一の側壁から延出する一の上側フラップが、一の側壁の上縁から延出する天井部１５とこの天井部１５の先端縁から延出する上側仕切壁部１７とを有し、上記側壁中の一の側壁から延出する一の下側フラップが、一の側壁の下縁から延出する底板部とこの底板部の先端縁から延出する下側仕切壁部２８とを有し、上側仕切壁部１７及び下側仕切壁部２８の先端縁に設けられた係合構造同士が、四角筒状部内で係合されることにより収納スペースが形成されていることを特徴とする。【選択図】図１
0003151760.tif 000002
【実用新案登録請求の範囲】
【請求項１】
４つの側壁を有する四角筒状部と、
上記各側壁の各上縁から延出する４つの上側フラップと、
上記各側壁の各下縁から延出する４つの下側フラップと
を備え、
一枚の段ボール紙から組み立てられる段ボール箱であって、
上記側壁中の一の側壁から延出する一の上側フラップが、一の側壁の上縁から延出する天井部と、この天井部の先端縁から延出する上側仕切壁部とを有し、
上記側壁中の一の側壁から延出する一の下側フラップが、一の側壁の下縁から延出する底板部と、この底板部の先端縁から延出する下側仕切壁部とを有し、
上記天井部が、切込により開閉可能に設けられる蓋部を備え、
上記上側仕切壁部及び下側仕切壁部が、各先端縁部分に係合構造を備え、
上記上側仕切壁部及び下側仕切壁部の係合構造同士が、四角筒状部内で係合されることにより収納スペースが形成されていることを特徴とする段ボール箱。
【請求項２】
上記係合構造が、上側仕切壁部及び下側仕切壁部の各先端縁部分に設けられる係合用切込によって分けられる複数の係合部からなり、
この係合用切込が、上側仕切壁部及び下側仕切壁部の各先端縁の垂直方向かつ各先端縁を等分する位置に同数設けられている請求項１に記載の段ボール箱。
【請求項３】
上記各係合構造の係合部を同一方向から数えた場合において、一方の係合構造の偶数番目の係合部及び他方の係合構造の奇数番目の係合部が、係合用切込に垂直かつ収納スペース方向に折目を有する請求項２に記載の段ボール箱。
【請求項４】
上記係合用切込が上側仕切壁部と下側仕切壁部とに２つずつ設けられている請求項３に記載の段ボール箱。
【考案の詳細な説明】
【技術分野】
【０００１】
本考案は、一枚の段ボール紙から組み立てられる段ボール箱に関し、詳細には、付属品等の収納スペースを備える段ボール箱に関するものである。
【背景技術】
【０００２】
従来、段ボール箱は、輸送から商品陳列までの間、複数の商品をまとめて収容する容器として、あるいは家電製品、鉢植え等の重量物商品を販売する際の包装容器として用いられている。従来の一般的な段ボール箱は、４つの側壁を有する四角筒状部と、上記各側壁の各上縁から延出する４つの上側フラップと、上記各側壁の各下縁から延出する４つの下側フラップとを備えている。このような段ボール箱は、上記上側及び下側内フラップを四角筒状部の内側に直角に折り込み、上側及び下側外フラップを四角筒状部の内側に直角に折り込み、各内フラップの外側に各外フラップが重ねられた状態で封緘されることで直方体状を形成するように構成されている。この際、下側の内フラップ及び外フラップが段ボール箱の底板を形成し、上側の内フラップ及び外フラップが段ボール箱の蓋を形成することとなる。
【０００３】
家電製品や家庭用日用品を段ボール箱で梱包する場合に、本体以外に多数の付属品を一つの段ボール箱に梱包する必要がある。このような場合、上記のような通常の段ボール箱においては、仕切部材として発泡スチロールを用いたり、他の段ボールで組み立てられた部材を用いることにより、付属品の収納スペースを確保している。しかしながら、このように他の部材を使用することによれば、部品点数が増大するために梱包作業の時間及びコストが高くなる上に、廃棄物の量も増えるという環境上の不都合も存在する。
【０００４】
そこで、一枚の段ボールから収納スペースを組み立てる段ボール箱に関する技術として天フラップの一つを折り曲げ、段ボール箱本体部内側に接着させることによって、収納スペースを確保する提案もなされている（例えば、特開２０００−１４２６７２号公報等参照）。しかしながら当該発明によれば、一枚の段ボール紙から段ボール箱内部に付属品等の収納スペースは確保されるものの、接着剤によりこの収納スペースを固定する必要があり、新たな組み立て作業のコスト及び作業時間が発生することとなる。また、この段ボール箱は、接着剤で固定されているので、通常の段ボール箱として使用することはできないため汎用性が低い。更には、この段ボール箱は、商品を取り出した後に当該段ボール箱を廃棄する際に、接着部分を切り離す必要が生じるという不都合が存在する。
【先行技術文献】
【特許文献】
【０００５】
【特許文献１】特開２０００−１４２６７２号公報
【考案の概要】
【考案が解決しようとする課題】
【０００６】
本考案はこれらの不都合に鑑みてなされたものであり、接着剤を用いずに一枚の段ボール紙から内部に付属品等の収納スペースを形成することができる段ボール箱の提供を目的とするものである。
【課題を解決するための手段】
【０００７】
上記課題を解決するためになされた考案は、
４つの側壁を有する四角筒状部と、
上記各側壁の各上縁から延出する４つの上側フラップと、
上記各側壁の各下縁から延出する４つの下側フラップと
を備え、
一枚の段ボール紙から組み立てられる段ボール箱であって、
上記側壁中の一の側壁から延出する一の上側フラップが、一の側壁の上縁から延出する天井部と、この天井部の先端縁から延出する上側仕切壁部とを有し、
上記側壁中の一の側壁から延出する一の下側フラップが、一の側壁の下縁から延出する底板部と、この底板部の先端縁から延出する下側仕切壁部とを有し、
上記天井部が、切込により開閉可能に設けられる蓋部を備え、
上記上側仕切壁部及び下側仕切壁部が、各先端縁部分に係合構造を備え、
上記上側仕切壁部及び下側仕切壁部の係合構造同士が、四角筒状部内で係合されることにより収納スペースが形成されていることを特徴とする段ボール箱である。
【０００８】
当該段ボール箱によれば、一枚の段ボール紙から段ボール箱内部に収納スペースが形成されるため、この収納スペースに付属物等を収納することができる。また、当該段ボール箱によれば、上記収納スペースが接着剤を用いず係合構造の係合により形成されるため、作業効率に優れ、作業コストも低減される。更には、収納スペースの形成に接着剤を使用しない当該段ボール箱は、係合を外すことにより通常の段ボールとして使用することも容易にでき汎用性が高く、またリサイクル性にも優れている。
【０００９】
また、当該段ボール箱によれば、一の側壁から延出する一の上側フラップが天井部と上側仕切壁部を備え、一の側壁から延出する一の下側フラップが底板部と下側仕切壁部とを備えることにより、収納スペースが直方体形状に形成されることとなる。このような直方体形状の収納スペースは、付属品等の収納空間として好適に用いられることができる。更には、当該段ボール箱は、一の上側フラップの天井部に、開閉可能に設けられる蓋部を備えているためこの蓋部から収納スペースに付属物等を容易に出し入れすることができる。
【００１０】
上記係合構造が、上側仕切壁部及び下側仕切壁部の各先端縁部分に設けられる係合用切込によって分けられる複数の係合部からなり、この係合用切込が、上側仕切壁部及び下側仕切壁部の各先端縁の垂直方向かつ各先端縁を等分する位置に同数設けられていることが好ましい。当該段ボール箱の係合構造が、このように上側仕切壁部及び下側仕切壁部の各先端縁部分に係合用切込によって分けられる複数の係合部からなることにより、この係合部同士を係合することで確実に段ボール箱内部に収納スペースが形成され、一定の強度を有することができる。更に、この係合用切込が上側仕切壁部及び下側仕切壁部の各先端縁に垂直方向かつ先端縁を等分する位置に同数設けられていることにより、係合部同士の係合を容易に行うことができるため、収納スペースを容易に組み立てることができる。
【００１１】
上記各係合構造の係合部を同一方向から数えた場合において、一方の係合構造の偶数番目の係合部及び他方の係合構造の奇数番目の係合部が、係合用切込に垂直かつ収納スペース方向に折目を有するとよい。このように、当該段ボール箱が、各係合構造の係合部を互い違いに一つおきに収納スペース方向に折目を有することにより、収納スペースの組立の際の係合構造の係合を容易かつ確実に行うことができる。
【００１２】
上記係合用切込が上側仕切壁部と下側仕切壁部とに２つずつ設けられているとよい。係合用切込が上側仕切壁部及び下側仕切壁部に２つずつ設けられる、即ち係合構造が三等分された各係合部からなる当該段ボール箱によれば、収納スペースの強度に対する安定性に優れかつ、収納スペースの組み立て及び分解も容易に行われることができる。
【００１３】
なお、本考案における「上側」及び「下側」とは、通常段ボール箱として用いられる方向（開閉する側を「上側」、底となる側を「下側」）として便宜上定めたものであって、製品として使用される際にこの方向に限定されるものではない。
【考案の効果】
【００１４】
以上説明したように、本考案の段ボール箱によれば、一枚の段ボール紙から接着剤を用いずに、内部に十分な強度を有する付属品等の収納スペースを容易かつ確実に形成することができる。また、本考案の段ボール箱は通常の段ボール箱としても使用することもできるため、汎用性を高めることができる。
【図面の簡単な説明】
【００１５】
【図１】本発明の一実施形態に係る段ボール箱を示す斜視図である。
【図２】図１の段ボール箱を示す展開図である。
【図３】図１の段ボール箱の一の上側フラップを示す拡大展開図（ａ）及び一の下側フラップの拡大展開図（ｂ）である。
【図４】図１の段ボール箱の組み立て途中の状態を示す斜視図である。
【考案を実施するための形態】
【００１６】
以下、適宜図面を参照しつつ、本考案の実施の形態を詳説する。
【００１７】
図１及び図２の段ボール箱１は、一枚の段ボール紙から組み立てられ、４つの側壁（側壁２、側壁３、側壁４及び側壁５）を有する四角筒状部と、上記各側壁２、３、４及び５の各上縁から延出する４つの上側フラップ（上側フラップ６、上側フラップ７、上側フラップ８及び上側フラップ９）と、上記各側壁２、３、４及び５の各下縁から延出する４つの下側フラップ（下側フラップ１０、下側フラップ１１、下側フラップ１２及び下側フラップ１３）とを備えている。
【００１８】
この段ボール箱１は、封緘状態で直方体形状に形成され、均一な厚さの一枚の段ボール紙を用いて形成される。当該段ボール箱１のサイズとしては特に限定されず、内容物である商品の大きさ等を考慮して適宜設定される。なお、図２の段ボール箱１の展開図中の細線は折目線を示しており、これらの折目には折り曲げを容易にする罫線加工が施されていることが好ましい。
【００１９】
４つの側壁２、３、４及び５は、対向する２組（側壁２と側壁４及び側壁３と側壁５）がそれぞれ同型及び同サイズの矩形形状を有し、４つの側壁全てが等しい高さに形成されている。これらの側壁２、３、４及び５によって、直方体形状を有する四角筒状部が形成される。
【００２０】
４つの側壁中、展開図である図２において端に位置する側壁５は、側縁に糊代部１４を備えている。当該糊代部１４によれば、四角筒状部を形成する際に、当該糊代部１４を他の側壁２の側縁と側壁５の側縁とが接するように側壁２の内面に接着させることにより、四角筒状部を筒状に固定することができる。
【００２１】
当該段ボール箱１によれば、下側フラップ１０及び１２を四角筒状部の内側に垂直に折り込み、続けて下側フラップ１１及び１３を四角筒状部の内側に垂直に折り込むことで当該段ボール箱１の底が形成される。さらに、当該段ボール箱１によれば、上側フラップ６及び８を四角筒状部の内側に垂直に折り込み、続けて上側フラップ７及び９を四角筒状部の内側に垂直に折り込むことで当該段ボール箱１の蓋が形成される。
【００２２】
図１及び図３（ａ）に示されるように、上記側壁中の一の側壁４から延出される一の上側フラップ８は、側壁４の上縁から延出する天井部１５と、この天井部１５の先端縁１６から延出する上側仕切部１７とを有している。
【００２３】
天井部１５は側壁４の上縁１８を一辺として共有する矩形形状を有している。天井部１５の幅（上縁１８と共有する辺の垂直方向の長さ）としては特に限定はされないが、当該ダンボール箱１に収納される付属品等の大きさや量等に応じて適宜設定される。天井部１５は、中央に側壁４の上縁１８から延出し、天井部１５の先端縁１６を底辺として含むコの字形状の切込により形成される蓋部１９を有している。
【００２４】
蓋部１９は、側壁４の上縁１８を軸に自由に開閉し、この蓋部１９から後述する収納スペース３４内に付属品等を容易に出し入れすることができる。この蓋部１９のサイズとしては、天井部１５の１／４以上３／４以下であることが好ましい。蓋部１９のサイズが上記範囲未満であると、付属品等の出し入れが困難となり、逆に上記範囲を超えると蓋部１９ひいてはダンボール箱１の強度が低下するおそれがある。なお、蓋部１９は、側壁４の上縁１８と共有する辺の対辺の中央付近に突設する突起部２０を備えている。この突起部２０を有する当該蓋部１９によれば、蓋部１９が閉じた状態においてもこの突起部２０に指等を掛けることにより容易に開けられることができる。
【００２５】
上側仕切壁部１７は、下側仕切壁部２８と係合され、収納スペース３４の一つの壁を形成する。上側仕切壁部１７の幅（先端縁１６と垂直方向の長さ）としては、後述する下側仕切壁部２８の幅（先端縁２７と垂直方向の長さ）と等しく、かつ側壁４の高さの１／２以上１以下である必要がある。上側仕切壁部１７が上記幅を有することで、下側仕切壁部２８と係合されることができ、収納スペース３４を形成することができる。上側仕切壁部１７の幅が上記下限未満であると、下側仕切壁部２８と係合されることができず、収納スペース３４が形成されない。また、上側仕切壁部１７の幅が上記上限を超えるた場合も、後述する係合用切込２１の長さをどう調整しても、下側仕切壁部２８と平面で係合することができず、長方形状の収納スペースを形成３４することができない。
【００２６】
上側仕切壁部１７は、先端縁部分に、係合構造として、先端縁に垂直方向かつ先端縁を３等分する位置に設けられる係合用切込２１によって分けられる３つの矩形形状の係合部２２、２３及び２４を有している。係合部２２、２３及び２４を後述する下側仕切壁部２８の係合部３０、３１及び３２と係合することで側壁４と上側仕切壁部１７及び下側仕切壁部２８との間に収納スペース３４が形成される。
【００２７】
当該係合用切込２１の長さは、上側仕切壁部１７、後述する下側仕切壁部２８及び下側仕切壁部２８に設けられる係合用切込２９の長さによって調整される。即ち、係合される上側仕切壁部１７と下側仕切壁部２８が、係合用切込２１及び２９によって平面状となるような長さに調整される。係合用切込２１の長さが短いと、上側仕切壁部１７と下側仕切壁部２８とが平面を形成せず、収納スペース３４が不安定な構造となる。逆に係合用切込２１の長さが長すぎると、上側仕切壁部１７と下側仕切壁部２８とが平面を形成するものの、係合によって形成されるこの壁の強度が低下することとなる。係合用切込２１等を上側仕切壁部１７と下側仕切壁部２８とが平面状となるように調整されることで、収納スペース３４及びメインの収納空間が直方体形状となり、収納物が無駄なスペース無く収納され、また、収納スペース３４の強度を保つことができる。
【００２８】
上側仕切壁部１７に備わる係合部２２、２３及び２４のうち、両端にある係合部２２及び２４は、係合用切込２１に垂直かつ側壁４方向（収納スペース３４方向）に折目２５を有している。係合部２２及び２４が当該折目２５を有することで、後述する下側仕切壁部２８の係合部３０、３１及び３２との係合を容易に行うことができる。折目２５の位置としては特に限定されないが、ダンボール箱１や、上側フラップ８自体の大きさや、組み立て時の作業性等を考慮して、上側仕切壁部１７の端縁から１ｃｍ以上５ｃｍ以下の位置であることが好ましい。
【００２９】
図１及び図３（ｂ）に示されるように、上記側壁中の一の側壁４から延出される一の下側フラップ１２は、側壁４の下縁から延出する底板部２６と、この底板部２６の先端縁２７から延出する下側仕切壁部２８とを有している。
【００３０】
底板部２６は、収納スペース３４の底部を形成する。底板部２６の幅は、蓋部１９と同様に付属品のサイズや量等に応じて適宜設定されるが、蓋部１９の幅と同様の長さとすることが好ましい。底板部２６の幅が、蓋部１９の幅と等しく形成されていることで、収納スペース３４が直方体形状に形成され、付属品等を効率的に収納することができるとともに、収納スペース３４の強度を保つことができる。
【００３１】
下側仕切壁部２８は、上側仕切壁部１７と係合され、収納スペース３４の一つの壁を形成する。下側仕切壁部２８の幅（先端縁２７と垂直方向の長さ）は、上側仕切壁部１７の幅（折目辺１６と垂直方向の長さ）と等しく、かつ上側仕切壁部１７と同様、側壁４の高さの１／２以上１以下である必要がある。下側仕切壁部２８が上記幅を有することで上側仕切壁部１７と係合され、収納スペース３４を形成することができる。下側仕切壁部２８の幅が上記下限未満であると、上側仕切壁部１７と係合されることができず、収納スペース３４が形成されない。また、下側仕切部２８の幅が上記上限を超えるた場合にも、後述する係合用切込２９の長さをどう調整しても、上側仕切壁部１７と平面で係合することができず、長方形状の収納スペース３４を形成することができない。
【００３２】
下側仕切壁部２８は、先端縁部分に、係合構造として先端縁に垂直方向かつ先端縁を３等分するように設けられる係合用切込２９によって分けられる３つの係合部３０、３１及び３２を有している。この係合部３０、３１及び３２を上側仕切壁部１７の係合部２２、２３及び２４と係合することで側壁４と上側仕切壁部１７及び下側仕切壁部２８との間に収納スペース３４が形成される。
【００３３】
具体的には、下側仕切壁部２８の中央の係合部３１は、上側仕切壁部１７の中央の係合部２３の内側（側壁４側、形成される収納スペース３４の内側）に位置するように係合され、下側仕切壁部２８の左右の係合部３０、３２は、上側仕切壁部１７の左右の係合部２２及び２４の外側（形成される収納スペース３４の外側）に位置するように係合される。このように上側仕切壁部１７の係合部２２、２３及び２４と、下側仕切壁部２８の係合部３０、３１及び３２が交互に組まれることにより係合されることで、多少の衝撃にも耐えうる一定の強度及び安定性を有する構造とすることができる。
【００３４】
下側仕切壁部２８に備わる係合部３０、３１及び３２のうち、中央に位置する係合部３１は、係合用切込２９に垂直かつ側壁４方向（収納スペース３４方向）に折目３３を有している。係合部３１がこの折目２９を有していることで、係合部３１を上側仕切壁部１７の中央の係合部２３の内側に位置するように係合することを容易に行うことができる。折目３３の位置としては特に限定されないが、上側仕切壁部１７に設けた折目２５と同様、ダンボール箱１や下側フラップ１２自体の大きさや、組み立て時の作業性等を考慮し、下側仕切壁部２８の端縁から１ｃｍ以上５ｃｍ以下の位置であることが好ましい。
【００３５】
このように、当該ダンボール箱１の内部には、側壁４、上側仕切壁部１７、下側仕切壁部２８及び側壁３と５の一部を周の壁とし、さらに天井部１５と底板部２６とで囲まれた収納スペース３４が形成されている。この収納スペース３４には付属品等を天井部１５に設けた蓋部１９から出し入れすることができる。
【００３６】
当該段ボール箱１は、このように一枚の段ボール紙から内部に収納スペース３４が形成されるため、この収納スペース３４に付属物等を収納することができる。また、当該段ボール箱１によれば、上記収納スペース３４を接着剤を使用せず係合構造の係合により形成されるため、作業効率に優れ、作業コストも低減される。更には、収納スペース３４の形成に接着剤を使用しない当該段ボール箱１は、係合を外すことにより通常の段ボールとして使用することも容易にでき汎用性が高く、またリサイクル性にも優れている。
【００３７】
また、上側仕切壁部１７及び下側仕切壁部２８の各先端縁部分の同位置に、先端縁に垂直方向かつ先端縁を等分するように設けられる２つの係合用切込２１及び２９によって分けられる各３つの係合部（２２〜２４、３０〜３２）からなる係合構造を有することにより、当該段ボール箱１は、この係合部同士を係合することにより容易かつ確実に収納スペース３４が形成される。
【００３８】
更には、当該段ボール箱１は、切込が各仕切壁部１７及び２８に２つずつ設けられ、係合構造が三等分された各係合部（２２〜２４、３０〜３２）からなるため、収納スペース３４が対称構造を有し外部からの圧力等に対する安定性に優れかつ、収納スペース３４の組み立て及び分解も容易に行われることができる。
【００３９】
次に、当該段ボール箱１の組み立て方法について説明する。当該段ボール箱は図２及び図３の展開図に示す平面形状で切り抜かれた段ボール紙を組み立てることによって形成される。まず、側壁２、３、４及び５間のそれぞれの折目線を折り、糊代部１４を側壁２に接着させることで四角筒状部が形成される。
【００４０】
次に、収納スペース３４が、上記四角筒状部内部に形成される。図３に示すように、上側フラップ８と下側フラップ１２を側壁４の上縁及び下縁にそって段ボール箱１の内側に折り曲げる。そして、上側仕切壁部１７の係合部２２、２３及び２４と下側仕切壁部２８の係合部３０、３１及び３２を係合させる。詳細には、上側仕切壁部１７の左右の係合部２２及び２４は、下側仕切壁部２８の左右の係合部３０及び３２の内側に位置するように係合され、上側仕切壁部１７の中央の係合部２３は、下側仕切壁部２８の中央の係合部３１の外側に位置するように係合される。この際、上側仕切壁部１７の左右の係合部２２及び２４並びに下側仕切壁部２８の中央の係合部３１は、折目２５及び３３によって内側に折り曲げることによって、この係合が容易かつ確実に行われる。また、天井部１５に設けられた蓋部１９は、突起部２０を把持して開閉することができる。
【００４１】
収納スペース３４を形成した後に、下側フラップ１０を四角筒状部の内側に垂直に折り込み、続けて下側フラップ１１及び１３を四角筒状部の内側に垂直に折り込むことで当該段ボール箱１の底が形成される。下側フラップ１１と下側フラップ１３とにガムテープ等を貼ることにより固定し、底の形状を固定する。最後に、上側フラップ６を四角筒状部の内側に垂直に折り込み、続けて上側フラップ７及び９を四角筒状部の内側に垂直に折り込むことで当該段ボール箱１の蓋が形成される。
【００４２】
なお、本考案の段ボール箱は、上記実施形態に限定されるものではなく、例えば、二組の上側フラップ及び下側フラップを用いて収納スペースを２つ設けることもできる。このように２つの収納スペースを有する段ボール箱は、付属品が多数ある商品の梱包に好適に用いることができる。
【００４３】
また、上側フラップの天井部と、下側フラップの底板部との幅の長さが異なり、断面形状が、台形である収納スペースを有するダンボール箱や、上側仕切壁部と下側仕切壁部に備わる係合構造が、相互の凹凸が一致する波状形状を有する段ボール箱とすることもできる。
【００４４】
さらには、収納スペースを構成する上側仕切壁部及び下側仕切壁部に設ける係合用切込が１又は３以上であってもよい。係合用切込が１つの段ボール箱は、最も簡単に収納スペースを形成することができる。また、係合用切込が３以上の段ボール箱は、収納スペースをより強固に形成することができ、収納スペース、ひいては段ボール箱の強度を高めることができる。なお、いずれの場合も、上側仕切壁部及び下側仕切壁部の係合部を同一方向から数えた場合において、一方の係合構造の偶数番目の係合部及び他方の係合構造の奇数番目の係合部に折目を備えることにより、係合を容易かつ確実に行うことができる。
【産業上の利用可能性】
【００４５】
以上のように、本発明の段ボール箱によれば、収納スペースを備えているため、付属品を有する商品の梱包、例えばコード等を有する家電製品や、備え付けのための紐等を有する額縁の梱包等において好適に用いられる。
【符号の説明】
【００４６】
１  段ボール箱
２、３、４、５  側壁
６、７、８、９  上側フラップ
１０、１１、１２、１３  下側フラップ
１４  糊代部
１５  天井部
１６  先端縁
１７  上側仕切壁部
１８  上縁
１９  蓋部
２０  突起部
２１  係合用切込
２２、２３、２４  係合部
２５  折目
２６  底板部
２７  先端縁
２８  下側仕切壁部
２９  係合用切込
３０、３１、３２  係合部
３３  折目
３４  収納スペース
【図１】
0003151760.tif 000003
【図２】
0003151760.tif 000004
【図３】
0003151760.tif 000005
【図４】
0003151760.tif 000006